(57)【要約】【課題】ドライバが直感的に理解しやすい操作で操舵感を調整するステアリング制御装置を提供する。【解決手段】ステアリング制御装置は、操舵部材に連結された操舵軸に加わる操舵トルクに応じたアシストトルクをモータによって出力することで操舵特性を制御する。調整トルク生成手段（２４、２５、２６）は、操舵軸に加わる操舵トルクと操舵角との関係を規定する機械インピーダンスを調整するための調整トルクを生成する。指令値生成手段（２１、２２、２７、２８、２９）は、調整トルク生成手段にて生成された調整トルクに基づいて、モータを制御するための指令値を生成する。指標値生成手段は、操舵部材の操舵時にドライバが受ける操舵感を示す操舵感指標値を生成する。そして、調整トルク生成手段は、指標値生成手段により生成された操舵感指標値に基づいて、機械インピーダンスを調整するための調整トルクを生成する。【選択図】  図３
2014237376.tif 000002
【特許請求の範囲】
【請求項１】
操舵部材（２）に連結された操舵軸（３、５）に加わる操舵トルクに応じたアシストトルクをモータ（６）によって出力することで操舵特性を制御するステアリング制御装置（１５）であって、
前記操舵軸に加わる操舵トルクと操舵角との関係を規定する機械インピーダンスを調整するための調整トルクを生成する調整トルク生成手段（２４、２５、２６）と、
前記調整トルク生成手段にて生成された調整トルクに基づいて、前記モータを制御するための指令値を生成する指令値生成手段（２１、２２、２７、２８、２９）と、
前記操舵部材の操舵時にドライバが受ける操舵感を示す操舵感指標値を生成する指標値生成手段（１６）と、
を備え、
前記調整トルク生成手段は、前記指標値生成手段により生成された操舵感指標値に基づいて、前記機械インピーダンスを調整するための調整トルクを生成することを特徴とするステアリング制御装置。
【請求項２】
前記指令値生成手段は、少なくとも前記調整トルクを含んだ目標操舵トルクを生成し、前記指令値は、前記目標操舵トルクに前記操舵トルクを追従させるためのものであることを特徴とする請求項１に記載のステアリング制御装置。
【請求項３】
前記目標操舵トルクには基本トルクが含まれることを特徴とする請求項２に記載のステアリング制御装置。
【請求項４】
前記基本トルクは、前記アシストトルクを用いて算出されることを特徴とする請求項３に記載のステアリング制御装置。
【請求項５】
前記基本トルクは、前記アシストトルクと前記操舵部材に加わる操舵トルクとから推定される路面負荷に応じた値を有することを特徴とする請求項４に記載のステアリング制御装置。
【請求項６】
前記操舵部材に加わる操作を表す操舵状態量を生成する操舵状態量生成手段（２３）を備え、
前記調整トルク生成手段は、前記操舵状態量に基づいて前記機械インピーダンスを調整するための調整トルクを生成することを特徴とする請求項１乃至５のいずれか１項に記載のステアリング制御装置。
【請求項７】
前記操舵状態量は、前記操舵軸の回転量に応じて増減する第１の物理量と、前記操舵軸の回転速度に応じて増減する第２の物理量との積であることを特徴とする請求項６に記載のステアリング制御装置。
【請求項８】
前記操舵状態量は、前記第１の物理量として前記操舵トルク、前記第２の物理量として前記操舵軸の角速度を用いて求めたドライバ仕事率であることを特徴とする請求項７に記載のステアリング制御装置。
【請求項９】
前記調整トルク生成手段は、前記機械インピーダンスとして剛性係数、粘性係数、慣性係数のうち少なくとも一つを調整することを特徴とする請求項１乃至請求項８のいずれか１項に記載のステアリング制御装置。
【請求項１０】
前記指標値生成手段は、外部からの入力により操舵感指標値を生成することを特徴とする請求項１乃至９のいずれか1項に記載のステアリング制御装置。
【請求項１１】
前記指標値生成手段は、外部に記憶されている操舵感指標値をダウンロードし、操舵感指標値を生成することを特徴とする請求項1乃至１０のいずれか１項に記載のステアリング制御装置。
【請求項１２】
前記指標値生成手段は、生成した操舵感指標値を外部記憶装置にアップロードするアップロード手段（６６）を備えることを特徴とする請求項１乃至１１のいずれか１項に記載のステアリング制御装置。
【請求項１３】
前記指標値生成手段により生成された操舵感指標値を記憶する記憶手段（７１）を備え、
前記調整トルク生成手段は、前記記憶手段に記憶されている操舵感指標値に基づいて、前記機械インピーダンスを調整するための調整トルクを生成することを特徴とする請求項１乃至１２のいずれか１項に記載のステアリング制御装置。
【発明の詳細な説明】
【技術分野】
【０００１】
本発明は、アシストトルクによって操舵感を調整するステアリング制御装置に関する。
【背景技術】
【０００２】
従来、ドライバは操舵感（手感）から車両の状況を把握できることが知られている。操舵感の感じ方はドライバ毎に個人差があり、また路面状況の変化によっても異なるため、操舵感を調整する装置の開発が進められている。この種の装置として、予め設定されている操舵特性線図におけるパラメータをドライバが設定することにより、操舵感を調整するものがある（例えば、特許文献１参照）。
【先行技術文献】
【特許文献】
【０００３】
【特許文献１】特許第４４６１６３０号公報
【発明の概要】
【発明が解決しようとする課題】
【０００４】
上述の操舵特性線図は、ステアリングの回動状態を表すパラメータである操舵トルク、操舵角等のパラメータと、操舵感を調整するためのアシストトルクを発生させるモータのモータ電流との関係を示すものである。
【０００５】
しかしながら、車両を構成する一部品であるモータのモータ電流をどのように変化させると操舵感がどのように変化するのかを意識して操舵感の調整を行うことは、ドライバには直感的に理解しにくい作業であるという問題があった。
【０００６】
本発明はこのような問題に鑑みてなされたものであり、ドライバが直感的に理解しやすい操作で操舵感を調整するステアリング制御装置を提供することを目的とする。
【課題を解決するための手段】
【０００７】
上記目的を達成するためになされた請求項１に記載のステアリング制御装置は、操舵部材に連結された操舵軸に加わる操舵トルクに応じたアシストトルクをモータにより出力することで操舵特性を制御するものである。調整トルク生成手段は、操舵トルクと操舵角との関係を規定する機械インピーダンスを調整するための調整トルクを生成する。
【０００８】
指令値生成手段は、調整トルク生成手段にて生成された調整トルクに基づいて、モータを制御するための指令値を生成する。指標値生成手段は、操舵部材の操舵時にドライバが受ける操舵感を示す操舵感指標値を生成する。ここで特に、調整トルク生成手段は、操舵感指標値に基づいて機械インピーダンスを補正するための調整トルクを生成する。
【０００９】
このような構成によれば、操舵特性を調整する指標としてドライバが受ける操舵感を示す操舵感指標値を用いるため、ドライバ及び操舵特性を調整しようとする操作者は、感覚的、直感的に操舵特性を調整することができる。
【００１０】
なお、特許請求の範囲に記載した括弧内の符号は、一つの態様として後述する実施形態に記載の具体的手段との対応関係を示すものであって、本発明の技術的範囲を限定するものではない。
【図面の簡単な説明】
【００１１】
【図１】電動パワーステアリングシステムの概略構成を示す構成図である。
【図２】ＥＣＵの制御機構の概略を示す構成図である。
【図３】ベースアシスト部の構成を示す構成図である。
【図４】操舵感指標の一例を示す説明図である。
【図５】負荷推定器の構成を示す構成図である。
【図６】剛性ベースマップの特性を例示するグラフである。
【図７】剛性重さ補正マップの特性を例示するグラフである。
【図８】剛性硬さ補正マップの特性を例示するグラフである。
【図９】剛性摩擦補正マップの特性を例示するグラフである。
【図１０】（ａ）は剛性調整マップの特性を例示するグラフであり、（ｂ）は剛性調整マップに従って剛性係数に相当する係数を変化させることによって操舵トルクから操舵角までの伝達特性が変化する様子を示したボード線図である。
【図１１】指標生成部の概略構成を示す構成図である。
【図１２】指標制御部が実行する処理（操舵感設定処理）を説明するフローチャートである。
【図１３】入力部（タッチパネルディスプレイ）の表示の一例を示す説明図である。
【発明を実施するための形態】
【００１２】
以下に本発明の一実施形態を図面と共に説明する。
＜全体構成＞
本実施形態の電動パワーステアリングシステム１は、図１に示すように、ドライバによるハンドル（操舵部材）２の操作をモータ６によってアシストするものである。ハンドル２は、ステアリングシャフト３の一端に固定され、ステアリングシャフト３の他端にはトルクセンサ４が接続されており、このトルクセンサ４の他端には、インターミディエイトシャフト５が接続されている。なお、以下の説明では、ステアリングシャフト３からトルクセンサ４を経てインターミディエイトシャフト５に至る軸体全体を、まとめて操舵軸ともいう。また、以下では、操舵軸の回転角を舵角、操舵軸の回転角速度を操舵速度、操舵軸の回転角加速度を操舵加速度ともいう。
【００１３】
トルクセンサ４は、操舵トルクＴｓを検出するためのセンサである。具体的には、ステアリングシャフト３とインターミディエイトシャフト５とを連結するトーションバーを有し、このトーションバーのねじれ角に基づいてそのトーションバーに加えられているトルクを検出する。
【００１４】
モータ６は、ハンドル２の操舵力をアシスト（補助）するものであり、減速機構６ａを介してその回転がインターミディエイトシャフト５に伝達される。すなわち、減速機構６ａは、モータ６の回転軸の先端に設けられたウォームギアと、このウォームギアと噛み合った状態でインターミディエイトシャフト５に同軸状に設けられたウォームホイールとにより構成されており、これにより、モータ６の回転がインターミディエイトシャフト５に伝達される。逆に、ハンドル２の操作や路面からの反力（路面反力）によってインターミディエイトシャフト５が回転すると、その回転が減速機構６ａを介してモータ６に伝達され、モータ６も回転することになる。
【００１５】
また、モータ６は、本実施形態ではブラシレスモータであり、内部にレゾルバ等の回転センサを備え、モータ６の回転状態を出力可能に構成されている。本実施形態のモータ６は、回転センサからの回転状態として、少なくともモータ速度ω（回転角速度を示す情報）を出力可能に構成されている。なお、モータ速度ωの代わりに、モータ速度ωに減速機構６ａのギア比を乗じることで求められる操舵速度を用いてもよい。
【００１６】
インターミディエイトシャフト５における、トルクセンサ４が接続された一端とは反対側の他端は、ステアリングギアボックス７に接続されている。ステアリングギアボックス７は、ラックとピニオンギアからなるギア機構にて構成されており、インターミディエイトシャフト５の他端に設けられたピニオンギアに、ラックの歯が噛み合っている。そのため、ドライバがハンドル２を回すと、インターミディエイトシャフト５が回転（すなわちピニオンギアが回転）し、これによりラックが左右に移動する。ラックの両端にはそれぞれタイロッド８が取り付けられており、ラックとともにタイロッド８が左右の往復運動を行う。これにより、タイロッド８がその先のナックルアーム９を引っ張ったり押したりすることで、操舵輪である各タイヤ１０の向きが変わる。
【００１７】
また、車両における所定の部位には、車速Ｖを検出するための車速センサ１１が設けられている。
このような構成により、ドライバがハンドル２を回転（操舵）させると、その回転がステアリングシャフト３、トルクセンサ４、およびインターミディエイトシャフト５を介してステアリングギアボックス７に伝達される。そして、ステアリングギアボックス７内で、インターミディエイトシャフト５の回転がタイロッド８の左右移動に変換され、タイロッド８が動くことによって、左右の両タイヤ１０が操舵される。
【００１８】
以下では、ハンドル２からタイヤ１０に至る、ハンドル２の操舵力が伝達される機構全体を操舵系メカ１００という。操舵系メカ１００は、ＥＣＵ１５及び指標生成部１６を備えるステアリング制御部５０によって制御される（つまり操舵系メカ１００は、図１に示したシステム構成図のうちステアリング制御部５０を除く機構全体をいう）。
【００１９】
＜ＥＣＵ＞
ＥＣＵ１５は、図示しない車載バッテリからの電力によって動作し、トルクセンサ４にて検出された操舵トルクＴｓ、モータ６のモータ速度ω、および車速センサ１１にて検出された車速Ｖに基づいて、アシストトルク指令Ｔａを演算する。そして、その演算結果に応じた駆動電圧Ｖｄをモータ６へ印加することにより、ドライバがハンドル２を回す力（ひいては両タイヤ１０を操舵する力）のアシスト量を制御するものである。
【００２０】
本実施形態ではモータ６がブラシレスモータであるため、ＥＣＵ１５からモータ６へ出力（印加）される駆動電圧Ｖｄは、詳しくは、３相（Ｕ、Ｖ、Ｗ）の駆動電圧Ｖｄｕ、Ｖｄｖ、Ｖｄｗである。ＥＣＵ１５からモータ６へこれら各相の駆動電圧Ｖｄｕ、Ｖｄｖ、Ｖｄｗを印加（各相の駆動電流を通電）することで、モータ６の回転トルクが制御される。ブラシレスモータを３相の駆動電圧で駆動（例えばＰＷＭ駆動）する方法やその３相の駆動電圧を生成する駆動回路（例えば３相インバータ）についてはよく知られているため、ここではその詳細説明は省略する。
【００２１】
ＥＣＵ１５は、直接的にはモータ６へ印加する駆動電圧Ｖｄを制御することによりモータ６を制御するものであるが、モータ６を制御することで結果としてそのモータ６により駆動される操舵系メカ１００を制御するものであると言え、よってＥＣＵ１５の制御対象はこの操舵系メカ１００であると言える。
【００２２】
＜ＥＣＵによる制御＞
次に、ＥＣＵ１５の概略構成（制御機構）を図２のブロック図に基づいて説明する。なお、図２に示したＥＣＵ１５の制御機構のうち、電流フィードバック（ＦＢ）部４２を除く各部、および電流ＦＢ部４２の機能の一部は、実際には、ＥＣＵ１５が備える図示しないＣＰＵが所定の制御プログラムを実行することによって実現されるものである。つまり、ＣＰＵによって実現される各種機能を機能ブロック毎に分けて図示したものが図２である。但し、これら各図に示した制御機構がソフトウェアにて実現されることはあくまでも一例であり、図２等に示した制御機構全体または一部を例えばロジック回路等のハードウェアにて実現するようにしてもよいことはいうまでもない。
【００２３】
ＥＣＵ１５は、図２に示すように、ベースアシスト指令Ｔｂ＊を生成するベースアシスト部２０と、補正トルク指令Ｔｒを生成する補正部３０と、ベースアシスト指令Ｔｂ＊と補正トルク指令Ｔｒを加算することによりアシストトルク指令Ｔａを生成する加算器４１と、アシストトルク指令Ｔａに基づいてモータ６へ駆動電圧Ｖｄを印加することによりモータ６を通電駆動する電流フィードバック（ＦＢ）部４２と、を備えている。
【００２４】
ベースアシスト部２０は、路面反力（路面負荷）に応じた操舵反力（操舵トルク）の特性の実現、すなわち路面負荷に対応した反応（反力）が準定常的にドライバへ伝達されるようにすることで車両の状態や路面の状態をドライバが把握しやすくなるようにすると共に、操舵状態に応じてドライバに与える手感（ハンドルからタイヤまでの感覚的硬さ、ねばり、重さ）を調整することで操舵感を向上させることを実現するためのブロックである。ベースアシスト部２０は、操舵トルクＴｓとモータ速度ωと車速Ｖと指標生成部１６から出力される操舵感指標値（ｕ１、ｕ２、ｕ３）とに基づき、上述した路面負荷に応じた伝達感や操舵状態に応じた操舵感が実現されるようにハンドル２の操作をアシストするための、ベースアシスト指令Ｔｂ＊を生成する。
【００２５】
補正部３０は、ドライバのハンドル操作に対する車両運動特性や操舵メカ系の伝達を、ドライバの意図（具体的には車両が適切に収斂する、又はスムーズな車両旋回を発生させる等）に沿うようにするためのブロックである。補正部３０は、操舵トルクＴｓとモータ速度ωと車速Ｖとに基づき、上述した不安定な挙動を抑制（収斂）するための補正トルク指令Ｔｒを生成する。
【００２６】
加算器４１は、ベースアシスト部２０で生成されたベースアシスト指令Ｔｂ＊と補正部３０で生成された補正トルク指令Ｔｒとを加算することにより、アシストトルク指令Ｔａを生成する。
【００２７】
電流ＦＢ部４２は、アシストトルク指令Ｔａに基づき、そのアシストトルク指令Ｔａに対応したアシストトルク（アシスト操舵力）が操舵軸（特にトルクセンサ４よりもタイヤ１０側）に付与されるようにモータ６へ駆動電圧Ｖｄを印加する。具体的には、アシストトルク指令Ｔａに基づいて、モータ６の各相へ通電すべき目標電流（相毎の目標電流）を設定する。そして、各相の通電電流Ｉｍを検出・フィードバックして、その検出値（各相の通電電流Ｉｍ）がそれぞれ目標電流と一致するように駆動電圧Ｖｄを制御（通電電流を制御）することで、操舵軸に対して所望のアシスト操舵力を発生させる。
【００２８】
なお、このような補正部３０および電流ＦＢ部４２は公知の技術（例えば、特開２０１３−５２７９３号公報参照）であるため、ここでは説明を省略し、以下では、本発明の主要部に関わるベースアシスト部２０について詳述する。
【００２９】
＜ベースアシスト部＞
ベースアシスト部２０は、図３に示すように、負荷推定器２１と、基本負荷量演算部２２と、ドライバ仕事率演算部２３と、剛性調整量演算部２４と、粘性調整量演算部２５と、慣性調整量演算部２６と、微分器２６１と、目標演算器２７と、偏差演算器２８と、コントローラ部２９と、記憶部７１とを備えている。
【００３０】
負荷推定器２１は、ベースアシスト指令Ｔｂ＊（アシストトルクに相当）と操舵トルクＴｓとに基づいて路面負荷を推定する。基本負荷量演算部２２は、負荷推定器２１にて推定された路面負荷（推定負荷Ｔｘ）と自車両の走行速度（車速Ｖ）とに基づいて、操舵トルクの目標値の基本成分である基本トルクＴｆ＊を生成する。
【００３１】
ドライバ仕事率演算部２３は、モータ速度ωに減速機構６ａのギア比を乗じることで求めた操舵速度に、操舵トルクＴｓを乗じることでドライバ仕事率Ｗを算出する。但し、操舵トルクＴｓおよびモータ速度ω（ひいては操舵速度）は、いずれもハンドル２を右回転させた場合と、左回転させた場合とで逆極性の値となる。また、操舵トルクＴｓは、Ｔｓ＝０となるハンドル２の位置を中立位置として、中立位置から右回転させた場合と左回転させた場合とで逆極性の値となる。中立位置は、タイヤがグリップしている通常走行時には、車両を直進させる位置が中立位置となり、オーバステアによるスピン発生時にはタイヤが横滑りしている方向が中立位置となる。ここでは、右回転時に正、左回転時に負となるものとする。
【００３２】
従って、操舵トルクＴｓとモータ速度ωの極性が同じでありドライバ仕事率Ｗが正極性となる場合は、ハンドルを切り込む操作によって生じた値であること、操舵トルクＴｓとモータ速度ωの極性が異なっておりドライバ仕事率Ｗが負極性となる場合は、ハンドルを切り戻す操作によって生じた値であること、ドライバ仕事率Ｗがゼロであれば保舵の状態であることを表す。
【００３３】
つまり、ハンドルを中立位置から左右どちらかに切り込んだ場合、操舵トルクＴｓ、モータ速度ωの極性は同じであるため、ドライバ仕事率Ｗは正極性の値となる。ハンドルを切った状態で保持すると（保舵の状態）、モータ速度ωは０であるため、ドライバ仕事率は０となる。この保舵の状態から、ハンドルを切り戻した場合、切り込んだときとはモータ速度ωの極性が反転し、操舵トルクＴｓとモータ速度ωの極性が互いに異なったものとなるため、ドライバ仕事率Ｗは負極性の値となる。なお、操舵トルクＴｓは、タイヤの向きが車両の進行方向から外れるほど大きな値となり、また、モータ速度ωが急な操舵を行うほど大きな値となり、これらの操作の度合い（操作量）に応じて、ドライバ仕事率Ｗの絶対値は大きな値をとる。
【００３４】
なお、操舵速度はモータ速度ωに比例した値であるため、モータ速度ωを操舵速度と見なして、モータ速度ωに操舵トルクＴｓを乗じたものをドライバ仕事率Ｗとして用いてもよい。
【００３５】
微分器２６１は、操舵速度に相当するモータ速度ωを微分することで操舵加速度に相当するモータ加速度αを生成する。
記憶部７１は、指標生成部１６から入力された操舵感指標の指標値（ｕ１、ｕ２、ｕ３）を記憶し、記憶した指標値（ｕ１、ｕ２、ｕ３）を、剛性係数演算部２４ａ、粘性係数演算部２５ａ、及び慣性係数演算部２６ａに出力する。記憶部７１に記憶される操舵感の指標値（ｕ１、ｕ２、ｕ３）は、指標生成部１６からの出力によって更新される。
【００３６】
操舵感指標は、ドライバが直感的、感覚的に理解できるように設定された、操舵感を調整するための指標であり、本実施形態では、図４に示すように、「重さ」、「硬さ」、「摩擦」の３つの指標が用いられる。以下では、「重さ」についての指標値である重さ指標値ｕ１、「硬さ」についての指標値である硬さ指標値ｕ２、及び「摩擦」についての指標値である摩擦指標値ｕ３をまとめて、操舵感指標値（ｕ１、ｕ２、ｕ３）という。
【００３７】
図３に戻り、剛性調整量演算部２４は、ドライバ仕事率Ｗと推定負荷Ｔｘと車速Ｖと操舵感指標値（ｕ１、ｕ２、ｕ３）とに基づいて、目標操舵トルクＴｓ＊に含まれる調整成分の一つであり、操舵時にドライバに与える操舵系メカ１００の剛性感を調整するための剛性調整トルクＴｋ＊を生成する。粘性調整量演算部２５は、ドライバ仕事率Ｗとモータ速度ωと車速Ｖと操舵感指標値（ｕ１、ｕ２、ｕ３）とに基づいて、目標操舵トルクＴｓ＊に含まれる調整成分（調整トルク）の一つであり、操舵時にドライバに与える操舵系メカ１００の粘性感を調整するための粘性調整トルクＴｃ＊を生成する。慣性調整量演算部２６は、ドライバ仕事率Ｗとモータ加速度αと操舵感指標値（ｕ１、ｕ２、ｕ３）とに基づいて、目標操舵トルクＴｓ＊に含まれる調整成分の一つであり、操舵時にドライバに与える操舵系メカ１００の慣性感を調整するための慣性調整トルクＴｉ＊を生成する。
【００３８】
目標演算器２７は、基本トルクＴｆ＊、剛性調整トルクＴｋ＊、粘性調整トルクＴｃ＊、慣性調整トルクＴｉ＊を加算して目標操舵トルクＴｓ＊を演算する。偏差演算器２８は、操舵トルクＴｓと目標操舵トルクＴｓ＊との差であるトルク偏差を演算する。コントローラ部２９は、微分器や積分器等を備えており、ハンドル操作時にドライバに与える路面負荷に応じた伝達感や操舵状態量に応じた操舵感を調整するための出力を生成する。
【００３９】
コントローラ部２９は、トルク偏差（操舵トルクＴｓと目標操舵トルクＴｓ＊との差）に基づき、トルク偏差が０になるよう、すなわち操舵トルクＴｓが目標操舵トルクＴｓ＊に追従するように制御することで、路面負荷に応じた伝達感や操舵状態量に応じた操舵感を実現するアシストトルク（アシスト量とも言う）を発生させるためのベースアシスト指令Ｔｂ＊を生成する。
【００４０】
負荷推定器２１は、図５に示すように、ベースアシスト指令Ｔｂ＊と操舵トルクＴｓとを加算する加算器２１ａと、その加算結果から所定の周波数以下の帯域の成分を抽出するローパスフィルタ（ＬＰＦ）２１ｂとを備え、このＬＰＦ２１ｂにより抽出された周波数成分を推定負荷Ｔｘとして出力する。通常、ドライバは、主に１０Ｈｚ以下の操舵反力情報を頼りに運転をしているため、ＬＰＦ２１ｂは、概ね１０Ｈｚ以下の周波数成分を通過（抽出）させ、１０Ｈｚより高い周波数成分は遮断するように設定されている。
【００４１】
図３に戻り、基本負荷量演算部２２は、路面反力に応じてドライバがハンドル操作を重いまたは軽いと感じることができるようにするための、或いは路面反力の上昇に対するドライバの操舵反力（或いは操舵トルク）の上昇度合い（勾配）を実現するための、目標操舵トルクＴｓ＊を生成するものである。本実施形態の基本負荷量演算部２２は、実際には、推定負荷Ｔｘおよび車速Ｖに対応する目標操舵トルクＴｓ＊がマップ化されており、そのマップをもとに目標操舵トルクＴｓ＊を生成する。
【００４２】
ところで、機械インピーダンス（剛性係数、粘性係数、慣性係数）は、物体に加わる力Ｆと、物体の変位量ｘとの関係を規定するものであり、（１）式の関係式によって表される。特に回転運動の場合では、Ｆは物体に加わるトルク、ｘは物体の回転量と見なす。
【００４３】
【数１】
2014237376.tif 000003
ｘは操舵角（モータの回転角）、その１回微分値は操舵速度（モータ速度ω）、その２回微分は操舵加速度（モータ加速度α）を表す。つまり、剛性調整量演算部２４、粘性調整量演算部２５、慣性調整量演算部２６は、（１）式に従ってハンドル操作時にドライバに与える操舵感の調整に必要なトルク（以下、操舵感調整トルクＴｓｆ＊という。操舵感調整トルクＴｓｆ＊は、剛性調整トルクＴｋ＊、粘性調整トルクＴｃ＊、慣性調整トルクＴｉ＊を加算したトルクに相当する）を求めるものである。
【００４４】
但し、本実施形態では、（２）式に示すように、剛性調整トルクＴｋ＊の算出に、操舵角ｘではなく推定負荷Ｔｘを使用しているため、剛性係数の代わりに剛性係数に相当する剛性相当係数Ｋが用いられている。なお、操舵角ｘと剛性相当係数Ｋの関係は、操舵系メカ１００の特性を表す関係式から簡単に求めることができる。
【００４５】
【数２】
2014237376.tif 000004
剛性調整量演算部２４は、剛性係数演算部２４ａと乗算器２４ｂを備える。
剛性係数演算部２４ａは、ドライバ仕事率Ｗ、車速Ｖ、および操舵感指標値（ｕ１、ｕ２、ｕ３）に応じて、ハンドル操作時にドライバに与える剛性感（ばね感）を調整するための剛性相当係数Ｋ（機械インピーダンスの剛性係数に相当する値、（２）式参照）を生成する。乗算器２４ｂは、剛性相当係数Ｋに推定負荷Ｔｘを乗じることで剛性調整トルクＴｋ＊を生成する。つまり、剛性相当係数Ｋは、路面負荷（推定負荷Ｔｘ）に対する調整係数といえる。
【００４６】
簡単のため、以下では車速Ｖがある一定値である場合について説明する。剛性係数演算部２４ａは、（３ａ）〜（３ｃ）式に示すように、ドライバ仕事率Ｗに応じて、予め用意された基本剛性相当係数Ｋ０を、操舵感指標値（ｕ１、ｕ２、ｕ３）に対応して生成される付加剛性相当係数Ｋ１、Ｋ２、Ｋ３で調整することにより、剛性相当係数Ｋを生成するように構成されている。
【００４７】
【数３】
2014237376.tif 000005
Stiffness(W)、BaseMap(W)、AddMap１(W)、AddMap2(W)、AddMap3(W)は、ドライバ仕事率Ｗの関数として用意してもよいし、マップとして用意してもよい。本実施形態では、これらはマップとして用意されており、順に、剛性調整マップ、剛性ベースマップ、剛性重さ付加マップ、剛性硬さ付加マップ、剛性摩擦付加マップというものとする。つまり本実施形態では、剛性相当係数Ｋを生成する際に用いる、剛性重さ付加マップ、剛性硬さ付加マップ、剛性摩擦付加マップの重み付けを、操舵感指標値（ｕ１、ｕ２、ｕ３）によって変化させている。
【００４８】
例えば、剛性ベースマップは、図６に示すものが用いられ、剛性重さ付加マップ、剛性硬さ付加マップ、剛性摩擦付加マップは、図７〜図９に示すものが用いられる。ここで、剛性硬さ付加マップは、図８に示すように、硬さ指標値ｕ２の増加に対して、ハンドルの切り込み（Ｗ＞０）に従って所定の割合で剛性を増加させるように設定されている。
【００４９】
剛性調整マップは、これらのマップを組み合わせたものであり、例えば、操舵感指標値（ｕ１、ｕ２、ｕ３）がｕ１＝０．６、ｕ２＝０．８、ｕ３＝−０．２５に設定されている場合（図４参照、以下補正モードという）、図１０（ａ）に示すマップとなる。この場合、操舵感指標値（ｕ１、ｕ２、ｕ３）がｕ１＝０、ｕ２＝０、ｕ３＝０に設定されているとき（以下、基準モードという）に比べて、ハンドルの切り込み（Ｗ＞０）時に剛性が増加し、より「硬さ」の感覚が付与されるようになっている。また、この剛性調整マップに従って剛性係数に相当する係数を変化させることによって操舵トルクから操舵角までの伝達特性が変化する様子を示したボード線図は、図１０（ｂ）に示すものとなる。
【００５０】
ここでは、ドライバ仕事率が３０Ｗのときの各モードにおける伝達特性を示している。伝達特性において剛性係数の特徴が表現される部位、すなわち定常ゲインが補正モードのほうが小さくなっている。剛性が大きくなるほど定常ゲインは小さくなるものなので、剛性調整マップによって、確かに剛性が調整できていることがここからわかる。
【００５１】
なお、図６〜１０に示したマップは、上述のように、車速Ｖがある一定値である場合について示したものである。従って、実際には上述のマップに示した特性は車速Ｖによって変化する。
【００５２】
粘性調整量演算部２５は、粘性係数演算部２５ａと乗算器２５ｂを備える。粘性係数演算部２５ａは、ドライバ仕事率Ｗ、車速Ｖ、および操舵感指標値（ｕ１、ｕ２、ｕ３）に応じて、ハンドル操作時にドライバに与える粘性感を調整するために使用する粘性係数Ｃを生成する。乗算器２５ｂは、粘性係数Ｃに操舵速度に相当するモータ速度ωを乗じることで粘性調整トルクＴｃ＊を生成する（（２）式参照）。
【００５３】
粘性係数演算部２５ａは、剛性相当係数Ｋと同様に、ドライバ仕事率Ｗに応じて、予め用意された基本粘性係数Ｃ０を、操舵感指標値（ｕ１、ｕ２、ｕ３）に対応して生成される付加粘性係数Ｃ１、Ｃ２、Ｃ３で調整することにより、粘性係数Ｃを生成するように構成されている（（３）式参照）。本実施形態では、基本粘性係数Ｃ０、付加粘性係数Ｃ１、Ｃ２、Ｃ３は、それぞれ、予め用意された粘性ベースマップ、粘性重さ付加マップ、粘性硬さ付加マップ、粘性摩擦付加マップを用いて生成される。
【００５４】
つまり、粘性係数演算部２５ａは、粘性係数Ｃを生成する際に用いる、粘性重さ付加マップ、粘性硬さ付加マップ、粘性摩擦付加マップの重み付けを、操舵感指標値（ｕ１、ｕ２、ｕ３）によって調整している。なお、剛性相当係数Ｋと同様に、粘性係数Ｃは車速Ｖによって変化する。
【００５５】
慣性調整量演算部２６は、慣性係数演算部２６ａと乗算器２６ｂを備える。慣性係数演算部２６ａは、ドライバ仕事率Ｗおよび操舵感指標値（ｕ１、ｕ２、ｕ３）に応じて、ハンドル操作時にドライバに与える慣性感を調整するための慣性係数Ｉを、慣性調整マップを用いて生成する。乗算器２６ｂは、微分器２６１によって生成されたモータ加速度αに慣性係数Ｉを乗じることで慣性調整トルクＴｉ＊を演算する。
【００５６】
慣性係数演算部２５ａは、剛性相当係数Ｋと同様に、ドライバ仕事率Ｗに応じて、予め用意された基本慣性係数Ｉ０を、操舵感指標値（ｕ１、ｕ２、ｕ３）に対応して生成される付加慣性係数Ｉ１、Ｉ２、Ｉ３で調整することにより、慣性係数Ｉを生成するように構成されている（（３）式参照）。本実施形態では、基本慣性係数Ｉ０、付加慣性係数Ｉ１、Ｉ２、Ｉ３は、それぞれ、予め用意された慣性ベースマップ、慣性重さ付加マップ、慣性硬さ付加マップ、慣性摩擦付加マップを用いて生成される。
【００５７】
つまり、慣性係数演算部２６ａは、慣性係数Ｉを生成する際に用いる、慣性重さ付加マップ、慣性硬さ付加マップ、慣性摩擦付加マップの重み付けを、操舵感指標値（ｕ１、ｕ２、ｕ３）によって調整している。ここで、剛性相当係数Ｋ及び粘性係数Ｃとは異なり、慣性係数Ｉは車速Ｖによって変化しない。ただし、慣性係数Ｉを変化させるパラメータとして、剛性相当係数Ｋ及び粘性係数Ｃと同様に、ドライバ仕事率Ｗに加えて車速Ｖを用いてもよい。
【００５８】
このように、剛性調整量演算部２４、粘性調整量演算部２５、慣性調整量演算部２６は、（４ａ）〜（４ｃ）式に示すように、記憶部７１に記憶されている操舵感指標値（作用指標値）（ｕ１、ｕ２、ｕ３）に対応するように、操舵感調整トルクＴｓｆ＊を表現する機械インピーダンスの剛性相当係数Ｋ、粘性係数Ｃ、慣性係数Ｉ（基本調整特性）を調整している。
【００５９】
【数４】
2014237376.tif 000006
＜指標生成部＞
指標生成部１６は、操舵感指標値（ｕ１、ｕ２、ｕ３）を生成し、生成した操舵感指標値（ｕ１、ｕ２、ｕ３）をＥＣＵ１５に出力する（書き込む）ように構成されている。
【００６０】
具体的には、指標生成部１６は、図１１に示すように、ドライバや操作者からの設定指令が入力される入力部６５と、外部記憶装置である外部サーバ８０との通信を行う送受信部６６と、入力部６５が出力する設定指令を受け付け、該設定指令に従って操舵感指標値を設定し、これをＥＣＵ１５に出力する（書き込む）指標制御部６０とを備える。入力部６５は、ドライバが操作するタッチパネルディスプレイからなり、送受信部６６は無線による通信装置からなるものとする。
【００６１】
＜指標制御部による制御＞
指標制御部６０は、ＣＰＵ６１、ＲＯＭ６２、ＲＡＭ６３等を備える周知のマイクロコンピュータからなる。指標制御部６０は、例えば、ドライバによるタッチパネルディスプレイ６５の操作によって操舵感設定モードボタン（図示せず）が選択されることをきっかけとして、操舵感設定処理を実行する。次に、図１２に示すフローチャートと、図１３に示すタッチパネルディスプレイ６５の表示の一例とを用いて、操舵感設定処理について説明する。
【００６２】
はじめにＳ１１０では、タッチパネルディスプレイ６５の画面を図１３に示すように切り替える。ここでは、画面の左側に、「スポーツモード」、「ラグジュアリーモード」、「スノーモード」、「カスタムモード」等のように、操舵感モードの名称の一覧（以下、操舵感モード一覧という）を表示する。また、画面下部に、「ダウンロード」、「アップロード」、「編集」、及び「決定」の各動作モードに切り替える動作モード切替ボタンを表示する。
【００６３】
そして、ドライバによるカーソルの操作によって操舵感モード一覧のうち一つが選択されると、画面右側に、カーソルにより選択されている操舵感モードの説明（モード説明）と、この操舵感モードでの操舵感指標値（ｕ１、ｕ２、ｕ３）とを表示する。操舵感モード一覧のデータ、すなわち各操舵感モードの名称、これに対応するモード説明及び操舵感指標値（ｕ１、ｕ２、ｕ３）は、予めＲＡＭ６３に記憶されている。
【００６４】
画面上にて、操舵感指標は、例えば「重さ」であれば、軽いから重いまでのレベルを示す直線、「硬さ」であれば、柔らかいから硬いまでのレベルを示す直線、「摩擦」であれば、すっきりからしっとりまでのレベルを示す直線で表示され、直線上には操舵指標のレベルを示す位置にマーカーが表示される。本実施形態では、例えば「重さ」という操舵感指標について、「軽い」＝−１、「重い」＝１、真ん中＝０のように指標値が割り当てられている。同様に、「硬さ」、「摩擦」という操舵感指標についても、１から−１の範囲で指標値が割り当てられている。つまり、マーカーの位置に対応する指標値が、操舵感指標値に相当する。
【００６５】
次にＳ１１５では、操舵感モード一覧のうち、いずれか一つが選択されたか否かを判断する。具体的には、カーソルによりいずれか一つの操舵感モードが選択された状態で「決定」ボタンが選択されたか否かを判断する。ここで、「決定」ボタンが選択された場合はＳ１３０に移行する。一方、「決定」ボタンが選択されなかった場合はＳ１２０に移行する。以下では、「決定」ボタンが選択されたときに、カーソルにより選択されている操舵感モードを選択操舵感モードという。
【００６６】
続くＳ１２０では、ダウンロードを実行するか否かを判断する。具体的には、所定時間内に「ダウンロード」ボタンが選択されたか否かを判断し、ここで、所定時間内に「ダウンロード」ボタンが選択された場合、Ｓ１２５に移行する。一方、所定時間内に「ダウンロード」ボタンが選択されなかった場合、本処理を終了する。
【００６７】
Ｓ１２０にて「ダウンロード」ボタンが選択された場合に移行するＳ１２５では、送受信部６６を用いて外部サーバ８０に記憶されている操舵感モードに関する詳細データ（操舵感モードの名称、そのモードについてのモード説明及び操舵感指標値（ｕ１、ｕ２、ｕ３））である既成操舵感データのダウンロードを実行する。そして、ダウンロードした既成操舵感データを追加するように、ＲＡＭ６３に記憶されている操舵感モード一覧のデータを更新する。その後Ｓ１１０に移行する。
【００６８】
Ｓ１１５にて操舵感モードが選択された場合に移行するＳ１３０では、アップロードを実行するか否かを判断する。具体的には、「アップロード」ボタンが選択されたか否かを判断する。ここで、「アップロード」ボタンが選択された場合はＳ１３５に移行する。Ｓ１３５では、選択操舵感モードに関する詳細データを、送受信部６６を用いて外部サーバ８０にアップロードする。
【００６９】
Ｓ１３０にて「アップロード」ボタンが選択されなかった場合に移行するＳ１４０では、編集を受け付けるか否かを判断する。具体的には、「編集」ボタンが選択されたか否かを判断し、ここで、「編集」ボタンが選択された場合、Ｓ１５０に移行する。一方、「編集」ボタンが選択されなかった場合、Ｓ１４５に移行する。Ｓ１４５では、選択操舵感モードについて操舵感指標値（ｕ１、ｕ２、ｕ３）をＥＣＵ１５に出力する。そして本処理を終了する。
【００７０】
Ｓ１４０にて「編集」ボタンが選択された場合に移行するＳ１５０では、新たな認識名称（以下、新認識名称という）をドライバに入力させるためのウィンドウを表示し、ウィンドウにて入力された新認識名称と、選択操舵感モードのモード説明及び操舵感指標値（ｕ１、ｕ２、ｕ３）とを、新識名称の操舵感モードの詳細データとしてＲＡＭ６３に記憶する。そして、新認識名称の操舵感モードの詳細データをタッチパネルディスプレイの右画面に表示する。
【００７１】
続くＳ１５５では、操舵感指標のレベルを示すマーカーを左右に移動可能とし、マーカーの位置に対応する指標値を新たに操舵感指標値として取得しＲＡＭ６３に記憶する。これにより、ドライバは、マーカーを左右にスライドさせることによって容易に操舵感指標値を設定することができる。
【００７２】
また、Ｓ１５５では、モード説明が表示されている箇所がカーソルによって選択されると、モード説明を編集させるためのウィンドウを表示し、ウィンドウに入力された内容を新たなモード説明としてＲＡＭ６３に記憶する。これにより、ドライバは、モード説明が表示されている箇所をカーソルで選択し、表示されたウィンドウへの入力を行うことで、容易にモード説明の編集を行うことができる。
【００７３】
次にＳ１６０では、編集された操舵感モード（新認識名称の操舵感モード）に変更するか否かを判断する。具体的には「決定」ボタンが選択されたか否かを判断する。ここで「決定」ボタンが選択さなかった場合、Ｓ１１０に移行する。一方、「決定」ボタンが選択された場合、Ｓ１６５に移行する。Ｓ１６５では、新認識名称の操舵感モードの操舵感指標値（ｕ１、ｕ２、ｕ３）をＥＣＵ１５に出力する。そして本処理を終了する。
【００７４】
つまり、指標制御部６０は、ドライバによるカーソル、動作モード切替ボタン及びマーカーの操作に従って、ＲＡＭ６３に記憶されている既存の操舵感モードを選択して該モードの操舵指標値（ｕ１、ｕ２、ｕ３）をＥＣＵ１５に出力する処理、外部サーバより既成操舵感データをダウンロードして該データの操舵指標値（ｕ１、ｕ２、ｕ３）をＥＣＵ１５に出力する処理、既存及びダウンロードした操舵感モードのデータを編集して新規の編集操舵感データとし、該編集操舵感データの操舵指標値（ｕ１、ｕ２、ｕ３）をＥＣＵ１５に出力する処理、を実行する。
【００７５】
＜効果＞
以上説明したように、本実施形態では、操舵特性を調整する操舵感指標として、「重さ」、「硬さ」、「摩擦」のように、ドライバが受ける操舵感を示す指標が用いられており、これらの操舵感指標は機械インピーダンス特性に対応付けられている。そして、ステアリング制御部５０は、対応付けられた機械インピーダンス特性をモータ制御によって実現するように構成されている。
【００７６】
このため、操舵感指標値（ｕ１、ｕ２、ｕ３）を設定することによって、操舵感と直接結びつかないパラメータ（例えば、モータ電流や舵角比等の機械的なパラメータ）を設定する従来装置と比べて、より素早く、感覚的、直感的に操舵特性を調整することができる。
【００７７】
本実施形態では、指標生成部１６は、タッチパネルディスプレイ６５を介して、ドライバ（操作者）からの設定指令を受け付け、受け付けた設定指令に従って操舵感指標値（ｕ１、ｕ２、ｕ３）を調整するように構成されている。これにより、調整された指標値（操作者設定指標値）に従って、ドライバ（操作者）の好みに応じて操舵感を設定することができる。また、タッチパネルディスプレイ６５を用いることにより、ドライバ（操作者）は容易に操舵感を調整することができる。
【００７８】
本実施形態では、指標生成部１６は、送受信部６６によって、外部サーバ８０に記憶されている既成操舵感データをダウンロードするように構成されている。そして、ダウンロードした既成操舵感データにおける操舵感指標値（既成指標値）に基づき操舵特性を設定するように構成されている。さらに、指標生成部１６は、ダウンロードした既成操舵感データを調整（編集）して新たに編集操舵感データを生成し、この編集操舵感データにおける操舵感指標値（操作者設定指標値）に基づき操舵特性を設定するように構成されている。
【００７９】
これにより、例えば予めＲＯＭに記憶された数種類のモードについて操舵指標値を調整する場合と比べて、市街地、ワインディング路、高速道路といった道路による走行パターンの変化、雨や雪による路面状況の変化等、種々の走行状況に適応した操舵特性を設定することがきる。また、ドライバ（操作者）の性別、年齢、嗜好に、より細やかに対応した操舵特性を設定することができる。
【００８０】
本実施形態では、指標生成部１６は、送受信部６６によって、編集操舵感データを外部サーバ８０にアップロードするように構成されている。これにより、他のドライバ（操作者）との間で編集操舵感データを共有することができる。
【００８１】
また本実施形態では、電動パワーステアリングシステム１は、ベースアシスト部２０が路面負荷（推定負荷Ｔｘ）に応じた反力をドライバへ伝達する成分と、ドライバ仕事率Ｗに応じて操舵系メカ１００の機械インピーダンスを調整する成分とから、アシストトルクの発生源となるモータ６を制御するベースアシスト指令Ｔｂ＊を生成している。
【００８２】
これにより、電動パワーステアリングシステム１は、ハンドル操作時にドライバに対して、路面負荷に応じた伝達感や操舵状態に応じた操舵感を的確に提供することができる。しかも、機械インピーダンスを変化させるパラメータとして切り込み、切り戻し、保舵等の操舵状態を識別可能なドライバ仕事率Ｗを用いているため、操舵状態毎に制御を切り替える必要がなく、簡易な制御によって細やかに操舵感の調整を行うことができる。
【００８３】
＜請求項との対応＞
ＥＣＵ１５及び指標生成部１６を備えるステアリング制御部５０が、ステアリング制御装置に相当する。指標生成部１６が指標値生成手段に相当し、ドライバ仕事率演算部２３が操舵状態量生成手段に相当し、剛性調整量演算部２４、粘性調整量演算部２５、慣性調整量演算部２６が調整トルク生成手段に相当し、負荷推定器２１、基本負荷量演算部２２、目標演算器２７、偏差演算器２８、コントローラ部２９が指令値生成手段に相当する。
【００８４】
また、タッチパネルディスプレイ６５が入力手段に相当し、送受信部６６がアップロード手段に相当し、記憶部７１が記憶手段に相当する。
＜他の実施形態＞
以上、本発明の実施形態について説明したが、本発明は、上記実施形態に限定されることなく、種々の形態を採り得ることは言うまでもない。例えば、一つの構成要素が有する機能を複数の構成要素に分散させたり、複数の構成要素が有する機能を一つの構成要素に統合したりしてもよい。また、上記実施形態の構成の少なくとも一部を、同様の機能を有する公知の構成に置き換えてもよい。
【００８５】
指標生成部１６は、上記実施形態に示す構成に限るものではない。指標生成部は、必要に応じて車両に接続される外部装置であってもよいし、車載ナビゲーション装置等の車両に搭載されている既存の装置に、指標生成部としての機能を持たせることで実現してもよい。また、入力部６５は、例えば、車両に搭載されている既存の各種入力装置を利用してもよい。または、入力部６５を携帯電話を利用するように構成し、携帯電話を利用した無線通信により取得した操舵感指標値をＥＣＵ１５に出力するように指標生成部を構成してもよい。また、入力部６５を携帯電話で構成する場合、送受信部６６の機能を該携帯電話が備えるように構成してもよい。
【００８６】
上記実施形態では、操舵感指標として「重さ」、「硬さ」、「摩擦」という３つの指標を用いたが、操舵感指標及びその数はこれに限るものではない。操舵感指標は、操舵部材の操作によってドライバが受ける感覚に直接結びつく指標であればよい。
【００８７】
上記実施形態では、機械インピーダンスを変化させるパラメータとして、操舵トルクＴｓと操舵速度（モータ速度ω）の積からなるドライバ仕事率Ｗを用いているが、これに限るものではなく、操舵軸の回転角に応じて増減する第１の物理量と、操舵軸の回転速度に応じて増減する第２の物理量との積によって求められる操舵状態量であればよい。第１の物理量としては、上記実施形態で用いた操舵トルクＴｓの他に、ヨーレート、横加速度、操舵角等を用いてもよい。また、第２の物理量としてはハンドルに連動して変位する部位の変位速度であればよい。
【００８８】
上記実施形態では、ベースアシスト部２０で生成されたベースアシスト指令Ｔｂ＊に補正部３０で生成された補正トルク指令Ｔｒを加えたものを電流ＦＢ部４２に供給するアシストトルク指令Ｔａとしているが、補正部３０を省略し、ベースアシスト指令Ｔｂ＊をそのままアシストトルク指令Ｔａとするように構成してもよい。
【００８９】
上記実施形態では、機械インピーダンスとして剛性係数、粘性係数、慣性係数の全てを調整しているが、いずれか一つまたはいずれか二つの係数を調整するように構成してもよい。
【００９０】
上記実施形態では、負荷推定器２１において、ベースアシスト指令Ｔｂ＊と操舵トルクＴｓから推定負荷Ｔｘを生成しているが、ベースアシスト指令Ｔｂ＊の代わりに電流ＦＢ部４２で検出される通電電流Ｉｍを用いてもよい。
【００９１】
上記実施形態では、基本トルクＴｆ＊を、推定負荷Ｔｘから生成しているが、操舵角から生成するように構成してもよい。
上記実施形態では、基本トルクＴｆ＊と、機械インピーダンス調整用のトルクＴｋ＊，Ｔｃ＊，Ｔｉ＊を別々に求めた後、これらを加算して目標操舵トルクＴｓ＊を生成しているが、機械インピーダンスを反映した規範操舵モデルを用いて操舵角から目標操舵トルクＴｓ＊を求めるように構成されたシステムに本発明を適用してもよい(例えば、特許４２３２４７１号公報参照)。この場合、規範操舵モデル中で使用される機械インピーダンスを、操舵状態量（例えば、ドライバ仕事率Ｗ）によって調整するように構成すればよい。
【００９２】
上記実施形態では、本発明をＥＰＳに適用した例を示したが、これに限定されるものではなく、ハンドルと操舵輪とが機械的に切り離された構成を有するステア・バイ・ワイヤに適用してもよい。この場合、基本トルクＴｆ＊を用いることなく、剛性調整トルクＴｋ＊と粘性調整トルクＴｃ＊と慣性調整トルクＴｉ＊を加算したものを目標操舵トルクＴｓ＊とすればよい。
【符号の説明】
【００９３】
１…電動パワーステアリングシステム  ２…ハンドル  ３…ステアリングシャフト  ４…トルクセンサ  ５…インターミディエイトシャフト  ６…モータ  ６ａ…減速機構  ７…ステアリングギアボックス  ８…タイロッド  ９…ナックルアーム  １０…タイヤ  １１…車速センサ  １６…指標生成部  ２０…ベースアシスト部  ２１…負荷推定器  ２１ａ，４１…加算器  ２１ｂ…ＬＰＦ  ２２…基本負荷量演算部  ２３…ドライバ仕事率演算部  ２４…剛性調整量演算部  ２４ａ…剛性係数演算部  ２４ｂ，２５ｂ，２６ｂ…乗算器  ２５…粘性調整量演算部  ２５ａ…粘性係数演算部  ２６…慣性調整量演算部  ２６ａ…慣性係数演算部  ２６ｂ…乗算器  ２７…目標演算器  ２８…偏差演算器  ２９…コントローラ部  ３０…補正部  ４１…加算器  ４２…電流フィードバック部  ５０…操舵特性調整システム  ６０…操舵制御ＥＣＵ  ６１…ＣＰＵ  ６２…ＲＯＭ  ６３…ＲＡＭ  ６５…入力部（タッチパネルディスプレイ）  ６６…送受信部  ７１…記憶部  ８０・・・外部サーバ  １００…操舵系メカ  ２６１…微分器
【図１】
2014237376.tif 000007
【図２】
2014237376.tif 000008
【図３】
2014237376.tif 000009
【図４】
2014237376.tif 000010
【図５】
2014237376.tif 000011
【図６】
2014237376.tif 000012
【図７】
2014237376.tif 000013
【図８】
2014237376.tif 000014
【図９】
2014237376.tif 000015
【図１０】
2014237376.tif 000016
【図１１】
2014237376.tif 000017
【図１２】
2014237376.tif 000018
【図１３】
2014237376.tif 000019